(57)【要約】【課題】複数のアプリケーションの連動によりメモを種々の場面で即座に保存する。【解決手段】メモを保存するメモ保存装置に、入力した文字をテキストファイルに変換する文字変換手段110,111,マイクロフォン107で採取されて録音された音響から抽出した文字情報、テレビジョン108又はカメラ109から受信し又は撮像した静止画又は動画を入力して録画し、録画された静止画又は動画から抽出した文字情報、カメラで撮像したバーコードの静止画を入力し、入力されたバーコードの静止画から抽出した文字情報をテキストファイルに変換する文字抽出変換手段112-119の各々で変換された文字をメモ内容として保存した年月日時刻と共に保存するメモ保存DB121Aと、メモ保存要求があった場合に、文字入力、録音、カメラ録画、テレビジョン録画、バーコード撮像を選択した際に変換された文字をメモ内容としてメモ保存DBに保存させるメモ保存制御部120Aとを備える。【選択図】図１
2009049680.tif 000002
【特許請求の範囲】
【請求項１】
メモを保存するメモ保存装置において、
入力した文字をテキストファイルに変換する文字変換手段と、
マイクロフォンで採取されて録音された音響から抽出した文字情報をテキストファイルに変換する第１の文字抽出変換手段と、
テレビジョン又はカメラから受信し又は撮像した静止画を入力して録画し、録画された静止画から抽出した文字情報をテキストファイルに変換する第２の文字抽出変換手段と、
テレビジョン又はカメラから受信し又は撮像した動画を入力して録画し、録画された動画から抽出した文字情報をテキストファイルに変換する第３の文字抽出変換手段と、
カメラで撮像したバーコードの静止画を入力し入力されたバーコードの静止画から抽出した文字情報をテキストファイルに変換する第４の文字抽出変換手段と、
前記文字変換手段、前記第１の文字抽出変換手段、前記第２の文字抽出変換手段、前記第３の文字抽出変換手段、前記第４の文字抽出変換手段の各々で変換された文字をメモ内容として保存した年月日時刻と共に保存するメモ保存データベースと、
メモ保存要求があった場合に、文字入力の選択が要求された際には前記文字変換手段で変換された文字、録音の選択が要求された際には前記第１の文字抽出変換手段で変換された文字、カメラ録画の選択が要求された際には前記第２の文字抽出変換手段又は前記第３の文字抽出変換手段で変換された文字、テレビジョン録画の選択が要求された際には前記第２の文字抽出変換手段又は前記第３の文字抽出変換手段で変換された文字、バーコード撮像の選択が要求された際には前記第４の文字抽出変換手段で変換された文字をそれぞれメモ内容として前記メモ保存データベースに保存させるメモ保存制御部とを備えることを特徴とするメモ保存装置。
【請求項２】
前記メモ保存データベースには、メモ保存時にＧＰＳ部から位置情報を変換した地名を保存したメモ内容と共に保存することを特徴とする、請求項１に記載のメモ保存装置。
【請求項３】
前記ＧＰＳ部からの位置情報の時間変化により移動体の乗車の有無を保存したメモ内容と共に保存することを特徴とする、請求項２に記載のメモ保存装置。
【請求項４】
前記メモ保存データベースには、メモ保存時に選択されたメモ内容の入力方法をメモ内容と共に保持することを特徴とする、請求項１に記載のメモ保存装置。
【請求項５】
前記メモ保存データベースには、保存されたメモ内容に対してインターネットを介して検索を行い、検索の結果を保存されたメモ内容と共に保存することを特徴とする請求項１に記載のメモ保存装置。
【請求項６】
前記メモ保存制御部は少なくとも圧力センサーによる所定値以上の圧力上昇、温度センサーによる所定値以上の温度上昇、加速度センサーによる所定値以上の傾斜角度のうち１つの発生をメモ保存要求とすることを特徴とする、請求項１に記載のメモ保存装置。
【請求項７】
メモを保存するメモ保存方法において、
メモ保存要求があった場合に、メモ内容の入力として、文字入力の選択が要求された際には入力した文字をテキストファイルに変換し、変換された文字をメモ内容として保存する工程と、
メモ保存要求があった場合に、メモ内容の入力方法として、録音方法の選択が要求された際にはマイクロフォンで採取されて録音された音響から抽出した文字情報をテキストファイルに変換し、変換された文字をメモ内容として保存する工程と、
メモ保存要求があった場合に、メモ内容の入力方法として、カメラ録画方法の選択が要求された際にはカメラから撮像した静止画又は動画を入力して録画し、録画された静止画又は動画から抽出した文字情報をテキストファイルに変換し、変換された文字をメモ内容として保存する工程と、
メモ保存要求があった場合に、メモ内容の入力方法として、テレビジョン録画方法の選択が要求された際にはテレビジョンから受信した静止画又は動画を入力し録画し録画された静止画又は動画から抽出した文字情報をテキストファイルに変換し、変換された文字をメモ内容として保存する工程と、
メモ保存要求があった場合に、メモ内容の入力方法として、バーコード撮像の選択が要求された際にはカメラで撮像したバーコードの静止画を入力し、入力されたバーコードの静止画から抽出した文字情報をテキストファイルに変換し、変換された文字をメモ内容として保存する工程と、
保存したメモ内容と共に保存した年月日時刻を保存する工程とを備えることを特徴とするメモ保存方法。
【請求項８】
メモを保存するメモ保存プログラムにおいて、
メモ保存要求があった場合に、メモ内容の入力として、文字入力の選択が要求された際には入力した文字をテキストファイルに変換し、変換された文字をメモ内容として保存する手順と、
メモ保存要求があった場合に、メモ内容の入力として、録音の選択が要求された際にはマイクロフォンで採取されて録音された音響から抽出した文字情報をテキストファイルに変換し、変換された文字をメモ内容として保存する手順と、
メモ保存要求があった場合に、メモ内容の入力として、カメラ録画の選択が要求された際にはカメラから撮像した静止画又は動画を入力して録画し、録画された静止画又は動画から抽出した文字情報をテキストファイルに変換し、変換された文字をメモ内容として保存する手順と、
メモ保存要求があった場合に、メモ内容の入力として、テレビジョン録画の選択が要求された際にはテレビジョンから受信した静止画又は動画を入力して録画し、録画された静止画又は動画から抽出した文字情報をテキストファイルに変換し、変換された文字をメモ内容として保存する手順と、
メモ保存要求があった場合に、メモ内容の入力として、バーコード撮像の選択が要求された際にはカメラで撮像したバーコードの静止画を入力して入力されたバーコードの静止画から抽出した文字情報をテキストファイルに変換し、変換された文字をメモ内容として保存する手順と、
保存したメモ内容と共に保存した年月日時刻を保存する工程とを備えることを特徴とするメモ保存プログラム。
【請求項９】
メモを保存する携帯電話機において、
入力した文字をテキストファイルに変換する文字変換手段と、
マイクロフォンで採取されて録音された音響から抽出した文字情報をテキストファイルに変換する第１の文字抽出変換手段と、
テレビジョン又はカメラから受信し又は撮像した静止画を入力して録画し、録画された静止画から抽出した文字情報をテキストファイルに変換する第２の文字抽出変換手段と、
テレビジョン又はカメラから受信し又は撮像した動画を入力して録画し、録画された動画から抽出した文字情報をテキストファイルに変換する第３の文字抽出変換手段と、
カメラで撮像したバーコードの静止画を入力し、入力されたバーコードの静止画から抽出した文字情報をテキストファイルに変換する第４の文字抽出変換手段と、
前記文字変換手段、前記第１の文字抽出変換手段、前記第２の文字抽出変換手段、前記第３の文字抽出変換手段、前記第４の文字抽出変換手段の各々で変換された文字をメモ内容として保存した年月日時刻と共に保存するメモ保存データベースと、
メモ保存要求があった場合に、文字入力の選択が要求された際には前記文字変換手段で変換された文字、録音の選択が要求された際には前記第１の文字抽出変換手段で変換された文字、カメラ録画の選択が要求された際には前記第２の文字抽出変換手段又は前記第３の文字抽出変換手段で変換された文字、テレビジョン録画の選択が要求された際には前記第２の文字抽出変換手段又は前記第３の文字抽出変換手段で変換された文字、バーコード撮像の選択が要求された際には前記第４の文字抽出変換手段で変換された文字をそれぞれメモ内容として前記メモ保存データベースに保存させるメモ保存制御部とを備えることを特徴とする携帯電話機。
【発明の詳細な説明】
【技術分野】
【０００１】
本発明はメモを保存するメモ保存装置に関する。特に、本発明は、メモを保存する場面で一番適した手段でメモを即効的に保存し保存されたメモの有効活用を図るメモ保存装置、方法、プログラム及び携帯電話機に関する。
【背景技術】
【０００２】
従来、有効な情報があり、後で調べようと思う事柄があっても、メモ手段を持っておらず、記録に残すことができない場合が多々あり、その後、その事柄自体が何だったのかなかなか思い出せないことがあってそのままになってしまっていた。
このような場合に、従来、携帯の録音装置があり、その場で気が付いた事柄を、声を出して、録音し、メモ替わりに使用するものがある。しかしながら、このような携帯の録音装置では、周囲に騒音がなく、人がいない場合には適しているが、逆に周囲に騒音がある場合には録音中に騒音が入り込み、周囲に人がいる場合には声を出して録音しにくく、メモとして使用できない場合があるという問題がある。
【０００３】
さらに、例えば、テレビ、電車広告を見て、有効な情報があり、後で調べようと思う事柄があっても、前述と同様に、その後、その事柄自体が何だったのかなかなか思い出せないことがあってそのままになってしまっていた。
近年、携帯電話機が普及され、身近で使用されており、携帯電話機には各種の機能があり、携帯電話機に搭載されている複数のアプリケーションの連動により、種々の場面で即座にメモ替わりに使用したいという課題がある。
【０００４】
ところで、携帯電話機には各種のタイプがあり、例えば、下記の従来技術では、携帯電話機には各種のアプリケーションが搭載されている。
従来、携帯電話端末において、簡単な入力操作で迅速かつ確実に印刷された住所、名前、電話番号等の文字情報や記号情報を入力することができる手段を提供するため、携帯電話端末本体に付属する画像取り込み部によって取り込まれた画像情報に含まれる文字および記号を携帯電話端末本体の画像取り込み部に持たせたOCR機能により、文字情報および記号情報に変換することにより、印刷された住所や名前、電話番号を携帯電話端末に入力可能とし、さらに、インターネットに接続可能な携帯電話端末では印刷されたURLを前記手段により入力することで、所望のホームページやサーバに接続することを可能にするものもある（例えば、特許文献１参照）。
【０００５】
しかしながら、上記特許文献１では、取り込まれた画像情報に含まれる文字および記号をOCR機能により、文字情報および記号情報に変換することにより、印刷された住所や名前、電話番号を携帯電話端末に入力可能とするが、メモ機能を有するものではない。
また、従来、画像を撮影する機能を有する携帯電話装置において、その画像撮影機能を利用して、データ入力を容易に、かつ、過誤なく行うことを可能にし、画像を撮影する撮影手段と、撮影手段により撮影された画像を表示する画像表示画面と、撮影手段により撮影された画像に含まれる文字を認識する機能を有する中央処理装置と、を備え、撮影される文字を中央処理装置により認識されやすい大きさで撮影するための文字サイズ調整用インジケータが画像表示画面に現われるものがある（例えば、特許文献２参照）。
【０００６】
しかしながら、上記特許文献２では、撮影された画像に含まれる文字を認識する機能を有し、データ入力を容易に、かつ、過誤なく行う携帯電話装置であるが、メモ機能を有するものではない。
また、従来、移動通信端末で、ＷＥＢを介したキーワード検索を行うとき、手動による文字入力、誤認による不要なＷＥＢアクセスに関して、労力削減、コスト削減を図る手段を提供するため、音声認識機能付きの移動通信端末を用いて、ＷＥＢを介して検索したいキーワードを、音声情報として入力し、そして、この音声情報を、端末内で音声認識をして、テキストデータとして変換を行い、このとき表示部に文字情報を表示すると、ユーザが確認を行い、ＷＥＢアクセスの可否を決定することができ、その後、インターネット網にアクセスして文字情報を送信し、ＷＥＢ検索サーバにてキーワード検索を行い、検索結果は受信され、表示部に表示されるものがある（例えば、特許文献３参照）。
【０００７】
しかしながら、上記特許文献３では、ＷＥＢを介して検索したいキーワードを、音声情報として入力し、そして、この音声情報を、端末内で音声認識をして、テキストデータとして変換を行う移動通信端末であるが、メモ機能を有するものではない。
また、従来、テレビ電話機能を有する携帯電話機において、テレビ電話の通話をテキストに変換しテキスト表示を可能とする携帯電話機を提供するため、テレビ電話機能付移動通信端末は、受信音声データから受信映像データを参照して抽出音声データを出力するデータ解析手段と、抽出音声データを基にテキストデータに変換する手段と、テキストデータに基づき文字列を表示する手段とを含む。データ解析部は、受信音声データから受信映像データに含まれる通話相手の口元の動きの存在に対応して抽出音声データを出力し、データ解析手段は、受信映像に含まれる通話相手の口元の動きの不存在に対応した部分では、抽出音声データを出力しない（例えば、特許文献４参照）。
【０００８】
しかしながら、上記特許文献４では、テレビ電話の通話をテキストに変換しテキスト表示を可能とする携帯電話機であるが、メモ機能を有するものではない。
【０００９】
【特許文献１】特開２００２−２５２６９１号公報
【特許文献２】特開２００４−１４０５５５号公報
【特許文献３】特開２００４−２６５２１７号公報
【特許文献４】特開２００５−３４８００６号公報
【発明の開示】
【発明が解決しようとする課題】
【００１０】
したがって、本発明は上記問題点に鑑みて、携帯電話機に搭載されるアプリケーションを用いてメモを種々の場面で即座に保存するメモ保存装置、方法、プログラム及び携帯電話機を提供することを目的とする。
【課題を解決するための手段】
【００１１】
本発明は前記問題点を解決するために、メモを保存するメモ保存装置において、入力した文字をテキストファイルに変換する文字変換手段と、マイクロフォンで採取されて録音された音響から抽出した文字情報をテキストファイルに変換する第１の文字抽出変換手段と、テレビジョン又はカメラから受信し又は撮像した静止画を入力して録画し、録画された静止画から抽出した文字情報をテキストファイルに変換する第２の文字抽出変換手段と、テレビジョン又はカメラから受信し又は撮像した動画を入力して録画し、録画された動画から抽出した文字情報をテキストファイルに変換する第３の文字抽出変換手段と、カメラで撮像したバーコードの静止画を入力し入力されたバーコードの静止画から抽出した文字情報をテキストファイルに変換する第４の文字抽出変換手段と、前記文字変換手段、前記第１の文字抽出変換手段、前記第２の文字抽出変換手段、前記第３の文字抽出変換手段、前記第４の文字抽出変換手段の各々で変換された文字をメモ内容として保存した年月日時刻と共に保存するメモ保存データベースと、メモ保存要求があった場合に、文字入力の選択が要求された際には前記文字変換手段で変換された文字、録音の選択が要求された際には前記第１の文字抽出変換手段で変換された文字、カメラ録画の選択が要求された際には前記第２の文字抽出変換手段又は前記第３の文字抽出変換手段で変換された文字、テレビジョン録画の選択が要求された際には前記第２の文字抽出変換手段又は前記第３の文字抽出変換手段で変換された文字、バーコード撮像の選択が要求された際には前記第４の文字抽出変換手段で変換された文字をそれぞれメモ内容として前記メモ保存データベースに保存させるメモ保存制御部とを備えることを特徴とするメモ保存装置を提供する。
【００１２】
さらに、前記メモ保存データベースには、メモ保存時にＧＰＳ部から位置情報を変換した地名を保存したメモ内容と共に保存する。
さらに、前記ＧＰＳ部からの位置情報の時間変化により移動体の乗車の有無を保存したメモ内容と共に保存する。
さらに、前記メモ保存データベースには、メモ保存時に選択されたメモ内容の入力方法をメモ内容と共に保持する。
【００１３】
さらに、前記メモ保存データベースには、保存されたメモ内容に対してインターネットを介して検索を行い、検索の結果を保存されたメモ内容と共に保存する。
さらに、前記メモ保存制御部は少なくとも圧力センサーによる所定値以上の圧力上昇、温度センサーによる所定値以上の温度上昇、加速度センサーによる所定値以上の傾斜角度のうち１つの発生をメモ保存要求とする。
【００１４】
さらに、本発明は、メモを保存するメモ保存方法において、メモ保存要求があった場合に、メモ内容の入力として、文字入力の選択が要求された際には入力した文字をテキストファイルに変換し、変換された文字をメモ内容として保存する工程と、メモ保存要求があった場合に、メモ内容の入力方法として、録音方法の選択が要求された際にはマイクロフォンで採取されて録音された音響から抽出した文字情報をテキストファイルに変換し、変換された文字をメモ内容として保存する工程と、メモ保存要求があった場合に、メモ内容の入力方法として、カメラ録画方法の選択が要求された際にはカメラから撮像した静止画又は動画を入力して録画し、録画された静止画又は動画から抽出した文字情報をテキストファイルに変換し、変換された文字をメモ内容として保存する工程と、メモ保存要求があった場合に、メモ内容の入力方法として、テレビジョン録画方法の選択が要求された際にはテレビジョンから受信した静止画又は動画を入力し録画し録画された静止画又は動画から抽出した文字情報をテキストファイルに変換し、変換された文字をメモ内容として保存する工程と、メモ保存要求があった場合に、メモ内容の入力方法として、バーコード撮像の選択が要求された際にはカメラで撮像したバーコードの静止画を入力し、入力されたバーコードの静止画から抽出した文字情報をテキストファイルに変換し、変換された文字をメモ内容として保存する工程と、保存したメモ内容と共に保存した年月日時刻を保存する工程とを備えることを特徴とするメモ保存方法を提供する。
【００１５】
さらに、本発明は、メモを保存するメモ保存プログラムにおいて、メモ保存要求があった場合に、メモ内容の入力として、文字入力の選択が要求された際には入力した文字をテキストファイルに変換し、変換された文字をメモ内容として保存する手順と、メモ保存要求があった場合に、メモ内容の入力として、録音の選択が要求された際にはマイクロフォンで採取されて録音された音響から抽出した文字情報をテキストファイルに変換し、変換された文字をメモ内容として保存する手順と、メモ保存要求があった場合に、メモ内容の入力として、カメラ録画の選択が要求された際にはカメラから撮像した静止画又は動画を入力して録画し、録画された静止画又は動画から抽出した文字情報をテキストファイルに変換し、変換された文字をメモ内容として保存する手順と、メモ保存要求があった場合に、メモ内容の入力として、テレビジョン録画の選択が要求された際にはテレビジョンから受信した静止画又は動画を入力して録画し、録画された静止画又は動画から抽出した文字情報をテキストファイルに変換し、変換された文字をメモ内容として保存する手順と、メモ保存要求があった場合に、メモ内容の入力として、バーコード撮像の選択が要求された際にはカメラで撮像したバーコードの静止画を入力し、入力されたバーコードの静止画から抽出した文字情報をテキストファイルに変換し、変換された文字をメモ内容として保存する手順と、保存したメモ内容と共に保存した年月日時刻を保存する工程とを備えることを特徴とするメモ保存プログラムを提供する。
【００１６】
さらに、本発明は、メモを保存する携帯電話機において、入力した文字をテキストファイルに変換する文字変換手段と、マイクロフォンで採取されて録音された音響から抽出した文字情報をテキストファイルに変換する第１の文字抽出変換手段と、テレビジョン又はカメラから受信し又は撮像した静止画を入力して録画し、録画された静止画から抽出した文字情報をテキストファイルに変換する第２の文字抽出変換手段と、テレビジョン又はカメラから受信し又は撮像した動画を入力して録画し、録画された動画から抽出した文字情報をテキストファイルに変換する第３の文字抽出変換手段と、カメラで撮像したバーコードの静止画を入力し、入力されたバーコードの静止画から抽出した文字情報をテキストファイルに変換する第４の文字抽出変換手段と、前記文字変換手段、前記第１の文字抽出変換手段、前記第２の文字抽出変換手段、前記第３の文字抽出変換手段、前記第４の文字抽出変換手段の各々で変換された文字をメモ内容として保存した年月日時刻と共に保存するメモ保存データベースと、メモ保存要求があった場合に、文字入力の選択が要求された際には前記文字変換手段で変換された文字、録音の選択が要求された際には前記第１の文字抽出変換手段で変換された文字、カメラ録画の選択が要求された際には前記第２の文字抽出変換手段又は前記第３の文字抽出変換手段で変換された文字、テレビジョン録画の選択が要求された際には前記第２の文字抽出変換手段又は前記第３の文字抽出変換手段で変換された文字、バーコード撮像の選択が要求された際には前記第４の文字抽出変換手段で変換された文字をそれぞれメモ内容として前記メモ保存データベースに保存させるメモ保存制御部とを備えることを特徴とする携帯電話機を提供する。
【発明の効果】
【００１７】
以上説明したように、本発明によれば、メモ保存要求があった場合に、メモ内容の入力として、文字入力の選択が要求された際には入力した文字をテキストファイルに変換し、変換された文字をメモ内容として保存し、メモ保存要求があった場合に、メモ内容の入力として、録音の選択が要求された際にはマイクロフォンで採取されて録音された音響から抽出した文字情報をテキストファイルに変換し、変換された文字をメモ内容として保存し、メモ保存要求があった場合に、メモ内容の入力として、カメラ録画の選択が要求された際にはカメラから撮像した静止画又は動画を入力して録画し、録画された静止画又は動画から抽出した文字情報をテキストファイルに変換し、変換された文字をメモ内容として保存し、メモ保存要求があった場合に、メモ内容の入力として、テレビジョン録画の選択が要求された際にはテレビジョンから受信した静止画又は動画を入力して録画し、録画された静止画又は動画から抽出した文字情報をテキストファイルに変換し、変換された文字をメモ内容として保存し、メモ保存要求があった場合に、メモ内容の入力として、バーコード撮像方法の選択が要求された際にはカメラで撮像したバーコードの静止画を入力し、入力されたバーコードの静止画から抽出した文字情報をテキストファイルに変換し、変換された文字をメモ内容として保存し、保存したメモ内容と共に保存した年月日時刻を保存するようにしたので、複数のアプリケーションの連動により、種々の場面で即座にメモ替わりに携帯電話機を使用することが可能になる。
【発明を実施するための最良の形態】
【００１８】
以下、本発明の実施の形態について図面を参照して説明する。
図１は本発明に係る携帯電話機のメモ保存装置の概略構成を示すブロック図である。本図に示すように、携帯電話機１００には送受信部１０１が設けられ、送受信部１０１は通話、通信、インターネットアクセスを行う機能を有する。
さらに、携帯電話機１００には表示部１０２が設けられ、表示部１０２は携帯電話機１００の電話番号の表示、機能のメニュー表示を行い、特に、保存したメモの表示を行う機能を有する。
【００１９】
さらに、携帯電話機１００にはキー操作部１０３が設けられ、キー操作部１０３は携帯電話機１００の操作を行い、メモ保存の操作を行う機能を有する。
さらに、携帯電話機１００には時計部１０４が設けられ、時計部１０４は表示部１０２に時刻表示を行い、特に、メモ保存時の時刻を定める機能を有する。
さらに、携帯電話機１００にはカレンダ部１０５が設けられ、カレンダ部１０５は表示部１０２に年月日を表示し、特に、メモ保存時の年月日を定める機能を有する。
【００２０】
さらに、携帯電話機１００にはＧＰＳ（全地球測位システム）１０６が設けられ、ＧＰＳ１０６は携帯電話機の位置情報を定める機能を有する。
さらに、携帯電話機１００にはマクロフォン１０７が設けられ、マクロフォン１０７は携帯電話機１００の周辺の音響を採取する機能を有する。
さらに、携帯電話機１００にはテレビジョン１０８が設けられ、テレビジョン１０８は、一例として、国内における携帯機器向けの地上デジタル放送である、いわゆる、ワンセグを受信し、表示部１０２に表示する機能を有する。
【００２１】
さらに、携帯電話機１００にはカメラ１０９が設けられ、カメラ１０９は静止画又は動画を撮像し、表示部１０２に表示する機能を有する。
さらに、携帯電話機１００には文字入力部１１０が設けられ、文字入力部１１０はキー操作部１０３の操作により文字を入力する機能を有する。
文字入力部１１０には文字変換部１１１が接続され、文字変換部１１１は文字入力部１１０から抽出した文字情報をテキストファイル（ｔｘｔ）に変換する機能を有する。
【００２２】
さらに、携帯電話機１００には録音部１１２が設けられ、録音部１１２はマクロフォン１０７から採取された音響を録音する機能を有する。
録音部１１２には文字抽出変換部１１３が接続され、文字抽出変換部１１３は録音部１１２で録音された音響情報から音声認識により抽出した文字情報をテキストファイル（ｔｘｔ）に変換する機能を有する。
【００２３】
さらに、携帯電話機１００には静止画入力部１１４が設けられ、静止画入力部１１４はテレビジョン１０８で受信され又はカメラ１０９で撮像された静止画情報を入力し録画する機能を有する。
静止画入力部１１４には文字抽出変換部１１５が接続され、文字抽出変換部１１５は静止画入力部１１４で録画された静止画情報からＯＣＲ（光学式文字読み取り装置）により抽出した文字情報をテキストファイル（ｔｘｔ）に変換する機能を有する。
【００２４】
さらに、携帯電話機１００には動画入力部１１６が設けられ、動画入力部１１６はテレビジョン１０８で受信され又はカメラ１０９で撮像された動画情報を入力し録画する機能を有する。
動画入力部１１６には文字抽出変換部１１７が接続され、文字抽出変換部１１７は動画入力部１１６で録画された動画画情報からＯＣＲ（光学式文字読み取り装置）、音声認識により抽出した文字情報をテキストファイル（ｔｘｔ）に変換する機能を有する。
【００２５】
さらに、携帯電話機１００にはバーコード入力部１１８が設けられ、バーコード入力部１１８はカメラ１０９で撮像されたバーコードの静止画を入力する機能を有する。バーコード入力部１１８には文字抽出変換部１１９が設けられ、文字抽出変換部１１９はバーコード読み取り装置により抽出したバーコードの文字情報をテキストファイル（ｔｘｔ）に変換する機能を有する。
【００２６】
さらに、携帯電話機１００には制御部１２０が設けられ、制御部１２０には送受信部１０１、表示部１０２、キー操作部１０３、時計部１０４、カレンダ部１０５、ＧＰＳ部１０６、文字変換部１１１、文字抽出変換部１１３、１１５、１１７、１１９が接続され、制御部１２０はＣＰＵ（中央演算装置）で構成されプログラムで動作し、携帯電話機１００の全体の制御を行う機能を有し、さらに、メモ保存制御部１２０Ａを有する。
【００２７】
メモ保存制御部１２０Ａはメモ保存要求の有無を判断し、メモ情報を入力する各種方法の選択要求を判断し、携帯電話機１００が有する文字入力部１１０、録音部１１２、静止画入力部１１４、動画入力部１１６、バーコード入力部１１８から入力した文字情報をメモ内容として保存する制御を行う機能を有する。これにより、文字入力部１１０、録音部１１２、静止画入力部１１４、動画入力部１１６、バーコード入力部１１８のうちメモ内容を保存する場面に一番適した手段（アプリケーション）を選択して簡易に記録に残すことが可能になる。
【００２８】
携帯電話機１００にはデータベース（ＤＢ）部１２１が設けられ、データベース部１２１は携帯電話機１００の制御プログラム、携帯電話機１００で処理されるデータを保存する機能を有し、さらに、地図データベース（ＤＢ）部１２１Ａ、メモ保存データベース（ＤＢ）部１２１Ｂを有する。
地図データベース部１２１Ａは地図データを保持し、ＧＰＳ１０６からの位置情報に対して、地名を提供する機能を有する。
【００２９】
メモ保存データベース部１２１Ｂは、カレンダ部１０５、時計部１０４、ＧＰＳ１０６、地図データベース部１２１Ａの情報からメモ内容が保存される年月日時刻、地名と共に、メモ内容を保存し、さらに、保存したメモ内容に対して送受信部１０１を介してインターネットで検索した結果を保存する機能を有する。
図２は図１におけるデータベース部１２１のメモ保存データベース部１２１Ｂに保存されるメモ内容等を説明する図である。本図に示すように、データベース部１２１のメモ保存データベース部１２１Ｂには、メモを保存した年月日の欄、時刻の欄、保存したメモ内容の入力方法の種別の欄、メモを保存した地名の欄、メモ保存時の乗車の有無の欄、保存したメモ内容の欄、メモ保存時の検索の結果の欄が設けられる。このように、通常時に保存されるデータとは混在しないように別にメモ保存専用のメモ保存データベース部１２１Ｂが設けられるので、即座にメモ内容を見ることが可能になる。
【００３０】
メモ保存データベース部１２１Ｂに保存されるメモ内容が保存した年月日時刻、地名等と共に保存されるので、後で調べようと思う事柄が何だったのか容易に思い出せるようになる。
また、ＧＰＳ１０６の位置情報により、位置の時間変化が大きい場合には電車、自動車等の移動体に乗車しているユーザが携帯電話機１００を携帯していることが分かるので、乗車の有無を保存することにより、乗車中にメモ内容が保存された場合には、後で調べようと思う事柄が何だったのかより容易に思い出せるようになる。
【００３１】
また、保存したメモ内容の入力方法の種別を保存することにより、メモ内容の入力方法の良否を判断でき、種々の場面で最適なメモ内容の入力方法の選択を可能にする。
静止画入力部１１４を介して、静止画から抽出されたメモ内容の一例として、「売りつくし  ○○東京支店  ××日（火）まで」がメモ内容欄に保存される。
さらに、動画入力部１１６を介して動画から抽出されたメモ内容の一例として、「Ｍ＆Ａ手数料伸びる」がメモ内容欄に保存される。この場合、メモ内容の一部に、例えば、「Ｍ＆Ａ」にユーザのキー操作部１０３により下線を引き、インターネットへの検索を要求することができる。この検索の要求に対して「Ｍ＆Ａ：Ｍｅｒｇｅｒｓ（合併）ａｎｄ  Ａｃｑｕｉｓｉｔｉｏｎｓ（買収）の略称で、日本語では、「企業の合併と買収」を意味する。」との検索の結果が検索の結果欄に保存される。
【００３２】
なお、検索の結果として、ＵＲＬ（Ｕｎｉｆｏｒｍ  Ｒｅｓｏｕｒｃｅ  Ｌｏｃａｔｏｒ）、画像の取り込みとしてもよい。
さらに、検索の結果を入手した時点で、メール、ポップアップの手段で「新規の検索の結果を取り込みました」との通知をユーザに通知を行うようにしてもよい。
さらに、上記の例で自動的に「Ｍ＆Ａ」、「Ｍ＆Ａ手数料」に対して検索を行い、結果として、ＵＲＬ、画像の取り込みを行うようにしてもよい。
【００３３】
図３は図１における携帯電話機のメモ保存装置の一連の動作例を説明するフローチャートである。本図に示すように、ステップＳ２０１において、制御部１２０では表示部１０２のメニュー表示からキー操作部１０３によりメモ保存要求があったか否かを判断する。メモ保存要求がない場合には処理を終了する。
ステップＳ２０２において、メモ保存要求がある場合には表示部１０２のメニュー表示からキー操作部１０３により文字入力方法の選択要求があったか否かを判断する。文字入力方法の選択要求がない場合にはステップＳ２１３に進む。
【００３４】
ステップＳ２０３において、文字入力方法の選択要求があった場合には、文字変換部１１１により文字入力部１１０から文字が抽出され、テキストファイル（ｔｘｔ）に変換される。
ステップＳ２０４において、データベース１２０のメモ保存データベース１２０Ａのメモ内容欄に変換された文字がメモ内容として保存される。
【００３５】
ステップＳ２０５において、メモ内容保存時に、ＧＰＳ１０６から携帯電話機１００の位置情報が入力される。
ステップＳ２０６において、地図データベース１２１Ａから携帯電話機１００の位置情報に対応する地名がメモ保存データベース１２０Ａの地名欄に保存される。
ステップＳ２０７において、メモ内容保存時に、カレンダ部１０５から年月日が入力され、メモ保存データベース１２０Ａの年月日の欄に保存される。
【００３６】
ステップＳ２０８において、メモ内容保存時に、時計部１０４から時刻が入力され、メモ保存データベース１２０Ａの時刻の欄に保存される。
ステップＳ２０９において、表示部１０２のメニュー表示からメモ内容の文字に対してインターネットにおける検索要求があったか否かの判断を行う。検索の要求がない場合には処理を終了する。
【００３７】
ステップＳ２１０において、検索の要求がある場合には、送受信部１０１を介して、インターネットにアクセスする。
ステップＳ２１１において、検索要求のあった文字に対して検索が行われる。
ステップＳ２１２において、検索結果が入力され、メモ保存データベース１２０Ａの検索結果の欄に保存され、検索結果が得られない場合には得られなかった旨が保存され、処理を終了する。
【００３８】
ステップＳ２１３において、表示部１０２のメニュー表示からキー操作部１０３により録音方法の選択要求があったか否かを判断する。録音方法の選択要求がない場合にはステップＳ２１６に進む。
ステップＳ２１４において、マイクロフォン１０７で採取した音響が録音部１１２で録音される。
【００３９】
ステップＳ２１５において、文字抽出変換部１１３により録音部１１２から文字が抽出され、テキストファイル（ｔｘｔ）に変換され、ステップＳ２０４に進み、ステップＳ２０４からステップＳ２１２の処理が行われる。
ステップＳ２１６において、表示部１０２のメニュー表示からキー操作部１０３によりカメラ録画方法の選択要求があったか否かを判断する。カメラ録画方法の選択要求がない場合にはステップＳ２１９に進む。
【００４０】
ステップＳ２１７において、カメラ１０９から静止画又は動画が静止画入力部１１４又は動画入力部１１６にそれぞれ選択的に入力される。
ステップＳ２１８において、文字抽出変換部１１３又は文字抽出変換部１１４により静止画入力部１１４又は動画入力部１１６から文字が抽出され、テキストファイル（ｔｘｔ）に変換され、ステップＳ２０４に進み、ステップＳ２０４からステップＳ２１２の処理が行われる。
【００４１】
ステップＳ２１９において、表示部１０２のメニュー表示からキー操作部１０３によりテレビ録画方法の選択要求があったか否かを判断する。テレビ録画方法の選択要求がない場合にはステップＳ２２２に進む。
ステップＳ２２０において、テレビジョン１０８から静止画又は動画が静止画入力部１１４又は動画入力部１１６にそれぞれ選択的に入力される。
【００４２】
ステップＳ２２１において、文字抽出変換部１１３又は文字抽出変換部１１４により静止画入力部１１４又は動画入力部１１６から文字が抽出され、テキストファイル（ｔｘｔ）に変換され、ステップＳ２０４に進み、ステップＳ２０４からステップＳ２１２の処理が行われる。
ステップＳ２２２において、表示部１０２のメニュー表示からキー操作部１０３によりバーコード撮像方法の選択要求があったか否かを判断する。バーコード撮像方法の選択要求がない場合には処理を終了する。
【００４３】
ステップＳ２２３において、カメラ１０９から静止画がバーコード入力部１１８に入力される。
ステップＳ２２４において、文字抽出変換部１１９によりバーコード入力部１１８から文字が抽出され、テキストファイル（ｔｘｔ）に変換され、ステップＳ２０４に進み、ステップＳ２０４からステップＳ２１２の処理が行われる。
【００４４】
したがって、本発明によれば、携帯電話機に搭載されている複数のアプリケーションの連動により、種々の場面で即座にメモ替わりに携帯電話機を使用することが可能になる。
【実施例１】
【００４５】
図４は図１の変形例であり、本発明に係る携帯電話機のメモ保存装置の概略構成を示すブロック図である。本図に示すように、図１と比較して、携帯電話機１００には圧力センサー１２２が設けられ、圧力センサー１２２は制御部１２０に接続され、メモ保存制御部１２０Ａはユーザが携帯電話機１００を握ったことを所定値以上の圧力の上昇で検出し、この検出により、図３のステップ２０１におけるメモ保存要求と判断し、メモ保存のアプリケーションの起動のトリガーとする。このようにして、メモ保存のアプリケーションの起動を簡易にし、メモ保存の即効性を図ることが可能となる。
【００４６】
以上の説明では、圧力センサー１２２を用いたが、これに代わり、温度センサー、加速度センサーであってもよい。
温度センサーでは、ユーザが携帯電話機１００を握ったことを所定値以上の温度の上昇で検出し、メモ保存のアプリケーションの起動のトリガーとする。
さらに、加速度センサーでは、ユーザが携帯電話機１００を握ったことを携帯電話機１００の所定値以上の傾斜角度を検出し、メモ保存のアプリケーションの起動のトリガーとする。
【００４７】
このようにして、メモ保存のアプリケーションの起動のトリガーの多様性を増すことが可能になり、メモ保存の即効性をさらに促進することが可能になる。
【産業上の利用可能性】
【００４８】
以上、携帯電話機について説明を行ったが、これに限定されず、ＰＨＳ（簡易型電話機）、ＰＤＡ（携帯情報端末）にも本発明の利用が可能である。
【図面の簡単な説明】
【００４９】
【図１】本発明に係る携帯電話機のメモ保存装置の概略構成を示すブロック図である。
【図２】図１におけるデータベース部１２１のメモ保存データベース部１２１Ｂに保存されるメモ内容等を説明する図である。
【図３】図１における携帯電話機のメモ保存装置の一連の動作例を説明するフローチャートである。
【図４】図１の変形例であり、本発明に係る携帯電話機のメモ保存装置の概略構成を示すブロック図である。
【符号の説明】
【００５０】
１００…携帯電話機
１０１…送受信部
１０２…表示部
１０３…キー操作部
１０４…時計部
１０５…カレンダ部
１０６…ＧＰＳ部
１０７…マイクロフォン
１０８…テレビジョン
１０９…カメラ
１１０…文字入力部
１１１…文字変換部
１１２…録音部
１１３、１１５、１１７、１１９…文字抽出変換部
１１４…静止画入力部
１１６…動画入力部
１１８…バーコード入力部
１２０…制御部
１２０Ａ…メモ保存制御部
１２１…データベース部
１２１Ａ…地図データベース部
１２１Ｂ…メモ保存データベース部
１２２…圧力センサー
【図１】
2009049680.tif 000003
【図２】
2009049680.tif 000004
【図３】
2009049680.tif 000005
【図４】
2009049680.tif 000006